(57)【要約】【課題】耕耘爪の回転軌跡の上方側を覆うロータリカバーと、ロータリカバー下面に近接又は接触状態で沿う防泥板とを備え、低コストで、効率的に、防泥板に付着した付着物の除去を行うことが可能なロータリ耕耘装置を提供することを課題としている。【解決手段】本発明は、耕耘爪８の回転軌跡の上方側を覆うロータリカバー９と、ロータリカバー９下面に近接又は接触状態で沿う防泥板１４とを備え、防泥板１４に付着した付着物Ａを除去する除去手段を設けたロータリ耕耘装置において、上下動又は前後動可能な可動状態と、ロータリカバー９下面側に沿って近接又は接触状態で固定された固定状態とに切換可能に前記防泥板１４をロータリカバー９下面側に取付ける取付具３１を設け、該取付具３１によって前記除去手段を構成する。【選択図】図６
2012161267.tif 000002
【特許請求の範囲】
【請求項１】
耕耘爪（８）の回転軌跡の上方側を覆うロータリカバー（９）と、ロータリカバー（９）下面に近接又は接触状態で沿う防泥板（１４）とを備え、防泥板（１４）に付着した付着物（Ａ）を除去する除去手段を設けたロータリ耕耘装置において、上下動又は前後動可能な可動状態と、ロータリカバー（９）下面側に沿って近接又は接触状態で固定された固定状態とに切換可能に前記防泥板（１４）をロータリカバー（９）下面側に取付ける取付具（３１）を設け、該取付具（３１）によって前記除去手段を構成したロータリ耕耘装置。
【請求項２】
防泥板（１４）がロータリカバー（９）下面に沿って前後動可能なように前記取付具（３１）を構成し、防泥板（１４）の前後の端部がそれぞれ挿入されて係止される一対の係止部（２１），（２３）を、ロータリカバー（９）の下面側に設け、一方の係止部（２３）に防泥板（１４）を寄せた状態で、他方の係止部（２１）から防泥板（１４）の端部を抜取り可能なように該一対の係止部（２１），（２３）の間隔を設定し、該他方の係止部（２１）から端部を抜取ることにより防泥板（１４）の上下動を可能にする請求項１に記載のロータリ耕耘装置。
【請求項３】
ロータリカバー（９）に穿設された前後方向の長孔（９ａ）に前後及び上下動可能に挿通される取付具（３１）によって、防泥板（１４）を、ロータリカバー（９）の下面側で、係止部（２１），（２３）に対して係脱可能に固定する請求項２に記載のロータリ耕耘装置。
【発明の詳細な説明】
【技術分野】
【０００１】
この発明は、トラクタ等に連結されるロータリ耕耘装置に関する。
【背景技術】
【０００２】
耕耘爪の回転軌跡の上方側を覆うロータリカバーと、ロータリカバー下面に近接又は接触状態で沿う防泥板とを備え、該防泥板によって、ロータリカバー下面側への泥等の付着を防止したロータリ耕耘装置が従来公知である。
【０００３】
ステンレス等からなる前記防泥板は、時間の経過に伴って、泥等が付着し易くなる。このような事情に鑑みて、防泥板に付着した泥等の付着物を除去する除去手段を設けた特許文献１に示すロータリ耕耘装置が開発され、公知になっている。
【先行技術文献】
【特許文献】
【０００４】
【特許文献１】特許第３２７１３０８号公報
【発明の概要】
【発明が解決しようとする課題】
【０００５】
上記文献では、防泥板に取付けられる振動子と、振動子に電圧信号を出力することにより振動子を振動させる発振器とによって除去手段を構成し、振動子からの振動を防泥板に伝えることにより、付着物を振い落すか、或いは付着物の付着を防止しているため、装置が大掛かりになり、コストが高くなる。
本発明は、耕耘爪の回転軌跡の上方側を覆うロータリカバーと、ロータリカバー下面に近接又は接触状態で沿う防泥板とを備え、低コストで、効率的に、防泥板に付着した付着物の除去を行うことが可能なロータリ耕耘装置を提供することを課題としている。
【課題を解決するための手段】
【０００６】
上記課題を解決するため、第１に、耕耘爪８の回転軌跡の上方側を覆うロータリカバー９と、ロータリカバー９下面に近接又は接触状態で沿う防泥板１４とを備え、防泥板１４に付着した付着物Ａを除去する除去手段を設けたロータリ耕耘装置において、上下動又は前後動可能な可動状態と、ロータリカバー９下面側に沿って近接又は接触状態で固定された固定状態とに切換可能に前記防泥板１４をロータリカバー９下面側に取付ける取付具３１を設け、該取付具３１によって前記除去手段を構成したことを特徴としている。
【０００７】
第２に、防泥板１４がロータリカバー９下面に沿って前後動可能なように前記取付具３１を構成し、防泥板１４の前後の端部がそれぞれ挿入されて係止される一対の係止部２１，２３を、ロータリカバー９の下面側に設け、一方の係止部２３に防泥板１４を寄せた状態で、他方の係止部２１から防泥板１４の端部を抜取り可能なように該一対の係止部２１，２３の間隔を設定し、該他方の係止部２１から端部を抜取ることにより防泥板１４の上下動を可能にすることを特徴としている。
【０００８】
第３に、ロータリカバー９に穿設された前後方向の長孔９ａに前後及び上下動可能に挿通される取付具３１によって、防泥板１４を、ロータリカバー９の下面側で、係止部２１，２３に対して係脱可能に固定することを特徴としている。
【発明の効果】
【０００９】
上記構成によれば、ロータリカバー下面側に固定された防泥板を、取付具によって上下動可能な可動状態に切換え、防泥板自体を上下又は前後に振動させて付着物を振い落すことにより、該付着物を防泥板の下面側から容易に除去することが可能であり、防泥板に振動子を取付けた場合と比較して、低コストで効率的に上記付着物の除去を行うことができる。
【００１０】
ちなみに、可動状態時に防泥板を上下動させることが可能な場合には、防泥板を下方に変位させて回転駆動する耕耘爪に近づけ、該耕耘爪によって付着物を掻き落すことも可能であり、該手段によっても、低コストで効率的に付着物の除去を行うことができる。
【００１１】
また、防泥板の前後の端部がそれぞれ挿入されて係止される一対の係止部を、ロータリカバーの下面側に設け、一方の係止部に防泥板を寄せた状態で、他方の係止部から防泥板の端部を抜取り可能なように該一対の係止部の間隔を設定し、防泥板がロータリカバー下面に沿って前後動可能なように前記取付具を構成し、該他方の係止部から端部を抜取ることにより防泥板の上下動を可能にすれば、固定状態では前後の係止部によって防泥板が安定的にロータリカバーに固定されるとともに、可動状態時には、防泥板を前後及び上下に振動させることが可能であるため、効率的に付着物の除去を行うことが可能になる。
【００１２】
さらに、ロータリカバーに穿設された前後方向の長孔に前後及び上下動可能に挿通される取付具によって、防泥板を、ロータリカバーの下面側で、係止部に対して係脱可能に固定すれば、より簡易な構造によって、防泥板を上下動及び前後動可能に構成することが可能になる。
【図面の簡単な説明】
【００１３】
【図１】本発明を適用したロータリ耕耘装置の側面図である。
【図２】本発明を適用したロータリ耕耘装置の平面図である。
【図３】ロータリカバーの分解斜視図である。
【図４】ロータリカバー前端側の係止部材である。
【図５】取付具によって前後可動状態から最大可動状態に切換える最中の様子を示すロータリ耕耘装置の側面図である。
【図６】最大可動状態時のロータリ耕耘装置の側面図である。
【発明を実施するための形態】
【００１４】
図１，２は、本発明を適用したロータリ耕耘装置の側面図及び平面図である。同図に示すロータリ耕耘装置１は、作業車両の一種であるトラクタ（図示しない）の後端部に、３点ヒッチ（図示しない）を介して、着脱可能に連結される。
【００１５】
このロータリ耕耘装置１は、ギヤケース２と、ギヤケース２から左右両側にそれぞれ延びてフレーム部を構成する左右一対の横筒３，３と、左右一方側（図示する例では左側）の横筒３の左右外側端部から下方に一体的に延設された上下方向の伝動ケース４と、左右他方側の横筒３の左右外側端部から下方に一体的に延設された上下方向のサイドプレート６と、伝動ケース４下端部とサイドプレート６下端部との間に自身の軸回りに回転可能に架設された左右方向のロータリ軸７と、該ロータリ軸７に軸装されて一体回転する複数の耕耘爪８と、耕耘爪８の回転軌跡（具体的には、ロータリ軸７を中心とした円形の回転軌跡）の上方を覆うロータリカバー９と、ロータリ軸７に軸装された複数の耕耘爪８の左右側方をそれぞれ覆う一対のサイドカバー１１，１１と、ロータリカバー９の後端部から後方斜め下方に延出するリヤカバー１２とを備えている。
【００１６】
上記ギヤケース２からは前方に向かって前後方向の入力軸１３が自身の軸回りに回転可能に突設される一方で、トラクタの後端部から後方に向かって前後方向の図示しないＰＴＯ軸が自身の軸回りに回転可能に突設されている。このＰＴＯ軸と入力軸１３とをスプライン結合によって、一体回転するように着脱自在に連結することにより、トラクタ側のエンジン動力がギヤケース２内に入力される。ギヤケース２側に入力された動力は、横筒３内から、伝動ケース４内に伝動される。伝動ケース４内に入力された動力は、ロータリ軸７にチェーン伝動され、ロータリ軸７の軸回りに、複数の耕耘爪８を回転駆動させる。そして、トラクタは、ロータリ耕耘装置１を下降させ、耕耘爪８を回転駆動させた状態で、圃場を走行することにより、圃場の耕耘作業を行う。
【００１７】
上記ロータリカバー９は、左右のサイドカバー１１等を介して、ロータリ軸７の軸回りに前後回動調整に、サイドプレート６及び伝動ケース４に支持されている。このロータリカバー９の下面には、耕耘爪８の回転軌跡に近接するように、ステンレス製又は樹脂製の防泥板１４が設けられている。
【００１８】
上記リヤカバー１２は、左右方向の回動軸１６を介して、ロータリカバー９上面の後端側に上下回動自在に支持されている。このリヤカバー１２は、図示しない付勢手段によって下方回動側に付勢され、該付勢によって、耕耘爪８により耕耘された土等の均平作業を後方側で行う。
【００１９】
次に、図１乃至６に基づいて、ロータリカバー９の構成を詳述する。
図３は、ロータリカバーの分解斜視図であり、図４は、ロータリカバー前端側の係止部材である。ロータリカバー９は、側面視上方に盛上って円弧状をなすように湾曲形成されている。このロータリカバー９の上面後端部には、上述した回動軸１６が取付支持される支持部材１７が設けられ、ロータリカバー９下面の前後の各端部には、防泥板１４の前後の端部をそれぞれ係止する左右方向の係止部材１８Ｆ，１８Ｒが設けられている他、ロータリカバー９の左右対称位置には、前後方向に延びる長孔９ａ，９ａがそれぞれ穿設されている。
【００２０】
防泥板１４は、側面視ロータリカバー９に沿って円弧状に湾曲形成されており、防泥板１４においてロータリカバー９に固定した際に前記長孔９ａ，９ａが位置する各箇所には、取付ネジ１９，１９が設けられている。該取付ネジ１９は、ネジ部１９ａがロータリカバー９の上面から上方に突出するようにヘッド部１９ｂがロータリカバー９の下面側に当接した状態で、該ロータリカバー９に固定されている。また、取付ネジ１９のネジ部１９ａの径は、該ネジ部１９ａを前記長孔９ａに挿通させることができる長さに設定されている。
【００２１】
ロータリカバー９後端側の係止部材１８Ｒは、後半部がロータリカバー９の下面に溶接等で固着される一方で、前半部がロータリカバー９下面から所定距離だけ下方に離間するように、側面視クランク状に屈曲形成された左右方向に長いプレート材である。言換えると、係止部材１８Ｒの前半部と、ロータリカバー９後端部との間には、防泥板１４の後端部を嵌合状態で差込み挿入可能なように前方が開放された左右方向の係止溝（係合部）２１が形成されている。
【００２２】
ロータリカバー９前端側の係止部材１８Ｆは、側面視Ｖ字状に曲げ形成された左右方向に長い板材であり、ロータリカバー９の前端部は側面視で上方側に盛上るように曲げ形成され、山部２２を構成している。そして、係止部材１８Ｆと、ロータリカバー９の山部２２とによって上下がカバーされた袋部（係止部）２３を形成するように、該係止部材１８Ｆを、ブラケット２４を介して、前記山部２２に取付固定している。具体的には、ブラケット２４がロータリカバー９の山部２２に溶接等で固着され、ボルト２６によって、該係止部材１８Ｆがブラケット２４に取付固定されている。このようにして形成された袋部２３の後端部に、防泥板１４の前端部を差込み可能な左右方向に細長い差込み口２３ａが形成され、この差込み口２３ａを介して、防泥板１４の前端部が袋部２３内に位置決め挿入される。
【００２３】
ロータリカバー９の下面側に防泥板１４を支持させる際には、まず、左右の取付ネジ１９を下側から上方に向かってそれぞれ左右の長孔９ａに挿通させ、続いて、防泥板１４の前端部を差込み口２３ａから袋部２３内に最大限差込み、続いて、防泥板１４の後端部を係止溝２１内に差込む。これによって、上下動が規制されるとともに前後スライドが許容され、且つロータリカバー９の下面側に近接又は接触した状態で、防泥板１４がロータリカバー９の下面側に支持される。
【００２４】
すなわち、袋部２３の底側端（前端）から、係止溝２１の底側端（後端）までの前後方向の長さは、防泥板１４の前後長よりも長く設定され、袋部２３の開放端（後端）から、係止溝２１の開放端（前端）までの前後方向の長さは、防泥板１４の前後長よりも短く設定され、袋部２３内の底側端から係止溝２１の開放端までの前後方向の長さは、防泥板１４の前後長よりも長く設定され、袋部２３内の開放端から係止溝２１の底側端までの前後方向の長さは、防泥板１４の前後長よりも短く設定されている。
【００２５】
言換えると、防泥板１４の前後の端部をそれぞれ同時に係止可能であるとともに、一方の係止部（図示する例では前側の係止部）１８Ｆに防泥板を寄せた状態で、他方の係止部１８Ｒから防泥板１４の端部を抜取ることが可能なように、前後一対の係止部１８Ｆ，１８Ｒの間隔が設定されている。ちなみに、ここでの前後方向の長さ、前後長及び間隔なる用語は、円弧状のロータリカバー９の沿った前後方向の距離を意味するものとする。
【００２６】
また、上述の構成により、ロータリカバー９上面から上方に向かって取付ネジ１９のネジ部１９ａが突出するようにして、各取付ネジ１９は、対応する各長孔９ａに前後動可能且つ上下動可能に挿通される。
【００２７】
これに対応して、取付ネジ１９のネジ部１９ａを係合挿入させるネジ孔２７ａを内周側に有する筒状の固定部材２７が、左右の取付ネジ１９毎に各別に用意されている。この固定部材２７について詳述すると、該固定部材２７の一端側は、ネジ部１９ａを挿入可能なように開放されるとともに、固定部材２７の他端側には、締付固定作業及び締付解除作業時に用いる六角状のヘッド２８及び把持部２９が一体的に設けられている。
【００２８】
そして、左右の取付ネジ１９，１９におけるロータリカバー９上面から突出したネジ部１９ａを、左右の固定部材２７，２７のネジ孔２７ａ，２７ａにそれぞれ係合挿入させることにより、取付ネジ１９と固定部材２７とがネジ係合され、防泥板１４が、固定部材２７と一体的に前後及び上下に移動する状態になり、続けて、取付ネジ１９と固定部材２７との締付けを行うことにより、防泥板１４が、ロータリカバー９に固定される。
【００２９】
すなわち、防泥板１４をロータリカバー９下面側で上下動又は前後動可能に支持する可動状態と、防泥板１４をロータリカバー９下面に沿って近接又は接触状態で固定する固定状態との切換を行う取付具３１を、上述した取付ネジ１９及び固定部材２７によって構成している。
【００３０】
次に、図１，５及び６に基づき、取付具３１による防泥板１４の状態切換について詳述する。
図１に示すとおり、左右の取付ネジ１９，１９を左右の長孔９ａ，９ａにそれぞれ挿通させ、防泥板１４の前端部を袋部２３に挿入して係止するとともに、防泥板１４の後端部を係止溝２１に挿入して係止した後、取付ネジ１９と固定部材２７をネジ係合させて締付けることにより、該防泥板１４が、ロータリカバー９下面に近接又は接触した状態で、該ロータリカバー９に固定される固定状態に切換えられる。
【００３１】
前記固定状態から、取付ネジ１９と固定部材２７のネジ係合を保持した状態で、両者の締付固定を解除すると、ロータリカバー９の下面側に位置する防泥板１４が、袋部２３の底側端と係止溝２１の底側端との間で、ロータリカバー９の円弧形状に沿って前後スライド可能な前後可動状態（可動状態）に切換えられる。ちなみに、防泥板１４の前後スライド量は、ネジ孔９ａの前後長の範囲内に限定される。
【００３２】
図５は、取付具によって前後可動状態から最大可動状態に切換える最中の様子を示すロータリ耕耘装置の側面図である。同図に示す通り、前記前後可動状態時、防泥板１４の後端部が係止溝２１から抜出すように、該防泥板１４を前方にスライド移動させると、防泥板１４が、取付ネジ１９及び固定部材２７の軸方向の沿って上下動可能、且つネジ孔９ａの前後長の範囲内で前後スライド可能な最大可動状態（可動状態）に切換えられる。
【００３３】
図６は、最大可動状態時のロータリ耕耘装置の側面図である。該構成のロータリ耕耘装置１によれば、耕耘作業や路上走行等においては、通常使用する際には、防泥板１４を固定状態に切換える一方で、防泥板１４の下面側に付着した泥等の付着物Ａを除去するメンテナンスの際には、防泥板１４を可動状態に切換え、取付具３１の把持部２９を把持して、防泥板１４を前後又は上下に震動させることにより、付着物Ａを防泥板１４から振い落す。
【００３４】
また、メンテナンス時、防泥板１４を可動状態でも特に最大可動状態に切換え、耕耘爪８側に近づけるように、該防泥板１４を下方に移動させ、耕耘爪８を回転駆動させれば、防泥板１４に付着した付着物Ａを耕耘爪８によって掻き落すことも可能である。
【符号の説明】
【００３５】
８  耕耘爪
９  ロータリカバー
９ａ  長孔
１４  防泥板
２１  係止溝（係止部）
２３  袋部（係止部）
３１  取付具
Ａ  付着物（泥）
【図１】
2012161267.tif 000003
【図２】
2012161267.tif 000004
【図３】
2012161267.tif 000005
【図４】
2012161267.tif 000006
【図５】
2012161267.tif 000007
【図６】
2012161267.tif 000008